(57)【要約】  筐体（１）を備え、前記筐体（１）内に洗濯ドラムが設けられ、前記洗濯ドラムは、洗濯前槽（２１）および洗濯後槽（２２）を含み、前記洗濯前槽（２１）と前記洗濯後槽（２２）とは密封連結され、前記洗濯後槽（２２）は洗濯前槽（２１）に対して回動可能であり、前記洗濯後槽（２２）はモータ（４）に伴って回動でき、前記洗濯後槽（２２）がモータ（４）に伴って回動している場合、前記洗濯前槽（２１）は静止している、ドラム式洗濯機である。【選択図】図１
2020513197.tif 000002
【特許請求の範囲】
【請求項１】
筐体（１）を備え、前記筐体（１）内に洗濯ドラムが設けられ、前記洗濯ドラムは、洗濯前槽（２１）および洗濯後槽（２２）を含み、前記洗濯前槽（２１）と前記洗濯後槽（２２）とは密封連結され、かつ、前記洗濯後槽（２２）は洗濯前槽（２１）に対して回動可能であり、前記洗濯後槽（２２）はモータ（４）に伴って回動でき、前記洗濯後槽（２２）がモータ（４）に伴って回動している場合、前記洗濯前槽（２１）は静止している、ドラム式洗濯機。
【請求項２】
前記洗濯前槽（２１）の長さは洗濯後槽（２２）の長さよりも小さい、請求項１に記載のドラム式洗濯機。
【請求項３】
前記筐体（１）に投入口が設けられ、前記投入口に窓（８）が設けられ、前記洗濯前槽（２１）の前記窓（８）に接触する側壁または前記窓（８）の前記洗濯前槽（２１）に接触する側壁に、密封溝（２１３）が設けられ、前記密封溝（２１３）内に第１のシールリング（６１）が設けられる、請求項１または２に記載のドラム式洗濯機。
【請求項４】
窓パッキン（７）を更に備え、前記筐体（１）の側に投入口が設けられ、前記投入口に窓（８）が設けられ、前記窓パッキン（７）は前記窓（８）と洗濯前槽（２１）との間に設けられる、請求項１または２に記載のドラム式洗濯機。
【請求項５】
前記窓パッキン（７）は、内側リップ（７１）と、外側リップ（７２）と、前記内側リップ（７１）と外側リップ（７２）とを連結する折り畳み部（７３）とを備え、前記内側リップ（７１）は第２のクリップ（７５）により前記洗濯前槽（２１）に係止され、前記外側リップ（７２）は第１のクリップ（７４）により前記筐体（１）の前面板（１１）に係止される、請求項４に記載のドラム式洗濯機。
【請求項６】
前記洗濯ドラムの中心軸は、水平面に対して傾斜して設けられ、前記中心軸と水平面とのなす角はαであり、かつ、０≦α＜９０°である、請求項１に記載のドラム式洗濯機。
【請求項７】
前記洗濯後槽（２２）内側壁に、少なくとも１本のバッフル（２２１）が設けられる、請求項１に記載のドラム式洗濯機。
【請求項８】
前記洗濯前槽（２１）と前記洗濯後槽（２２）とは回動軸受（１０）を介して連結され、前記洗濯後槽（２２）は前記回動軸受（１０）の内輪に嵌設され、前記洗濯前槽（２１）は前記回動軸受（１０）の外輪に嵌合され、前記洗濯前槽（２１）と前記洗濯後槽（２２）との間に第２のシールリング（６２）が設けられる、請求項４に記載のドラム式洗濯機。
【請求項９】
前記洗濯前槽（２１）と前記洗濯後槽（２２）との連結箇所に、断面Ｆ字状の位置制限リング（２１４）が設けられ、
前記位置制限リング（２１４）は、第１の縦位置制限リング本体（２１４１）と、前記第１の縦位置制限リング本体（２１４１）の頂部に設けられた第１の横位置制限リング本体（２１４２）と、前記第１の横位置制限リング本体（２１４２）と平行に設けられた第２の横位置制限リング本体（２１４３）とを含み、
前記第２のシールリング（６２）は、前記第１の横位置制限リング本体（２１４２）と前記第２の横位置制限リング本体（２１４３）との間に設けられ、前記回動軸受（１０）は、前記第１の縦位置制限リング本体（２１４１）、第２の横位置制限リング本体（２１４３）および洗濯後槽（２２）外壁を組み合わせて形成された空間領域内に設けられる、請求項８に記載のドラム式洗濯機。
【請求項１０】
前記第２のシールリング（６２）はリップ状のシールリングである、請求項９に記載のドラム式洗濯機。
【発明の詳細な説明】
【技術分野】
【０００１】
本発明は、洗濯機の技術分野に関し、例えば、ドラム式洗濯機に関する。
【背景技術】
【０００２】
関連技術におけるドラム式洗濯機は、内槽および外槽を備え、洗濯機の槽洗浄において、ユーザは洗濯機の内槽の清潔を保持することができるが、洗濯槽（すなわち、内槽）外に外槽が嵌設されているため、洗濯機の内槽と外槽との間に中間層である洗濯機槽が介在され、洗濯機槽は汚れを受け入れる場所であり、ユーザ自らは、内槽および外槽を取り外して内槽の外壁および外槽の内壁を清掃することができないとともに、洗濯機の動作時に内槽および外槽に残留した水は処理して蒸発しにくく、更に、槽壁での大量の細菌の繁殖を引き起こす。時間が経つほど、汚れの付着が多くなって堅固となり、衣類の二次汚染を引き起こし、消費者の健康にとって深刻な脅威となる。そのため、ユーザは、専門の清掃業者に依頼して洗濯機を定期的に清掃する必要があり、手間がかかる。
【０００３】
そのため、関連技術における洗濯機槽を定期的に清掃する必要があることを解決できる洗濯機の提出は、当業者が解決すべき課題である。
【発明の概要】
【発明が解決しようとする課題】
【０００４】
本発明は、関連技術における洗濯機槽を定期的に清掃する必要がある問題を解決できるドラム式洗濯機を提出する。
【課題を解決するための手段】
【０００５】
筐体を備え、前記筐体内に洗濯ドラムが設けられ、前記洗濯ドラムは、洗濯前槽および洗濯後槽を含み、前記洗濯前槽と前記洗濯後槽とは密封連結され、かつ、前記洗濯後槽は洗濯前槽に対して回動可能であり、前記洗濯後槽はモータに伴って回動でき、洗濯後槽がモータに伴って回動している場合、前記洗濯前槽は静止している、ドラム式洗濯機。
【０００６】
本発明における洗濯ドラムは、洗濯前槽および洗濯後槽を含み、洗濯後槽は洗濯前槽に対して回転可能であり、更に、洗濯ドラム内の洗濯衣類および水を回動させ、洗濯衣類を持ち上げて落として叩き、衣類を洗濯する作用を奏する。洗濯ドラムには外槽の部分がなく、１つのみの無孔かつ回転運転可能な洗濯後槽を有するため、洗濯ドラムの外壁が水、特に、洗濯後の水で満たされることがなく、更に、洗濯槽の外壁への汚れの堆積を防止し、洗濯槽の外壁の洗浄不要を実現できるとともに、元に洗濯ドラムの内槽と外槽との間に存在する水を節約し、水を更に節約する。
【０００７】
好ましくは、前記洗濯前槽の長さは洗濯後槽の長さよりも小さい。
【０００８】
洗濯前槽の長さが洗濯後槽の長さよりも小さいことにより、水が十分である場合の回転を確保でき、洗濯の洗浄率を更に確保する。
【０００９】
好ましくは、前記筐体に投入口が設けられ、前記投入口に窓が設けられ、前記洗濯前槽の前記窓に接触する側壁または前記窓の前記洗濯前槽に接触する側壁に、密封溝が設けられ、前記密封溝内に第１のシールリングが設けられる。
【００１０】
密封溝および第１のシールリングは、洗濯前槽と洗濯機窓との間を密封し、洗濯水の流出を防止し、洗濯機に漏電および短絡等の故障が生じない、またはユーザが感電することがないことを確保できるようにするために設けられた。
【００１１】
好ましくは、前記窓と洗濯前槽との間に設けられた窓パッキンを更に備える。
【００１２】
窓パッキンは、窓と洗濯前槽との間を密封するとともに、窓が開かれた後の洗濯機の外観をより美しくにするために設けられた。
【００１３】
好ましくは、前記窓パッキンは、内側リップと、外側リップと、前記内側リップと外側リップとを連結する折り畳み部とを備え、前記内側リップは第２のクリップにより前記洗濯前槽に係止され、前記外側リップは第１のクリップにより前記筐体の前面板に係止される。
【００１４】
第１のクリップおよび第２のクリップは、窓パッキンが窓の開閉に伴って緩まないように、窓パッキンを洗濯機に締め付けることができる。更に、窓の窓パッキンの耐用年数を延長することができる。
【００１５】
好ましくは、前記筐体に給水弁が設けられ、前記給水弁は給水管を介して洗剤ケースに連結され、前記洗剤ケースは注水管を介して前記給水孔に連結される。
【００１６】
好ましくは、前記洗濯ドラムの中心軸は、水平面に対して傾斜して設けられ、前記中心軸と水平面とのなす角はαであり、かつ、０≦α＜９０°である。
【００１７】
これにより、傾斜型のドラム式洗濯機により良好に適応する。ドラムは水平面に対して傾斜角を有し、衣類を出し入れしやすいことが実現できる。
【００１８】
好ましくは、前記洗濯後槽の内側壁に少なくとも１本のバッフルが設けられる。
【００１９】
洗濯後槽の内部に複数本のバッフルが設けられることにより、内部の衣類はより良好に持ち上げられ、落とされ、叩かれて洗濯される。
【００２０】
好ましくは、前記洗濯前槽と前記洗濯後槽とは回動軸受を介して連結され、前記洗濯後槽は前記回動軸受の内輪に嵌設され、前記洗濯前槽は前記回動軸受の外輪に嵌合され、前記洗濯前槽と前記洗濯後槽との間に第２のシールリングが設けられる。
【００２１】
好ましくは、前記洗濯前槽と前記洗濯後槽との連結箇所に、断面Ｆ字状の位置制限リングが設けられ、
前記位置制限リングは、第１の縦位置制限リング本体と、前記第１の縦位置制限リング本体の頂部に設けられた第１の横位置制限リング本体と、前記第１の横位置制限リング本体と平行に設けられた第２の横位置制限リング本体とを含み、
前記第２のシールリングは、前記第１の横位置制限リング本体と前記第２の横位置制限リング本体との間に設けられ、前記回動軸受は、前記第１の縦位置制限リング本体、第２の横位置制限リング本体および洗濯後槽外壁を組み合わせて形成された空間領域内に設けられる。
【００２２】
シールリングは、第１の横位置制限リング本体と前記第２の横位置制限リング本体との間に設けられ、すなわち、シールリングは、第１の横位置制限リング本体、第２の横位置制限リング本体、第１の縦位置制限リング本体および下槽で形成された矩形の閉鎖空間内に設けられ、回動軸受は、前記第１の縦位置制限リング本体、第２の横位置制限リング本体および下槽の外壁を組み合わせて形成された空間領域内に設けられる。このような設置により、良好な密封性を果たすことができるだけでなく、それとともに、洗濯前槽に対する洗濯後槽の回転も確保できる。
【００２３】
好ましくは、前記第２のシールリングはリップ状のシールリングである。
【００２４】
リップ状のシールリングは自己密封作用を有し、動作圧力でリップ部に作用することにより、リップ部は密封結合面を押さえ、更に摩耗量を自動的に補償することができ、良好な密封性を有する。
【図面の簡単な説明】
【００２５】
【図１】実施例１に係るドラム式洗濯機の構造模式図である。
【図２】図１におけるＡ箇所の部分拡大図である。
【図３】図１におけるＢ箇所の部分拡大図である。
【図４】本発明の実施例１におけるドラムが傾斜して設けられたドラム式洗濯機の構造模式図である。
【図５】本発明の実施例２に係るドラム式洗濯機の構造模式図である。
【図６】図５におけるＣ箇所の部分拡大図である。
【符号の説明】
【００２６】
１          筐体
１１        前面板
１１１      係止環
１２        シャーシ
１３        支持脚
１４        上台板
１５        背面板
２１        洗濯前槽
２１１      給水孔
２１２      出水孔
２１３      密封溝
２１４      位置制限リング
２１４１    第１の縦位置制限リング本体
２１４２    第１の横位置制限リング本体
２１４３    第２の横位置制限リング本体
２１５      位置制限リング突起
２２        洗濯後槽
２２１      バッフル
３          ベルト
４          モータ
５          排水連結管
５１        排水弁
５２        排水管
６１        第１のシールリング
６２        第２のシールリング
７          窓パッキン
７１        内側リップ
７２        外側リップ
７３        折り畳み部
７４        第１のクリップ
７５        第２のクリップ
８          窓
８１        密封扉
９          洗剤ケース
９１        注水管
９２        給水弁
９３        給水管
１０        回動軸受
【発明を実施するための形態】
【００２７】
実施例１
図１〜図４に示すように、本実施例は、洗濯槽の外壁または内壁上の汚れを定期的に清掃する必要をなくすとともに、水を更に節約できるドラム式洗濯機を提供する。該ドラム式洗濯機は、筐体１を備え、筐体１内に衣類を回動して洗浄するための洗濯ドラムが設けられ、洗濯ドラムは、洗濯前槽２１および洗濯後槽２２を含み、洗濯前槽２１と洗濯後槽２２とは密封連結され、洗濯後槽２２は洗濯前槽２１に対して回動可能であり、洗濯後槽２２の回動中に、洗濯前槽２１は静止し、更に洗濯ドラム内の水が洗濯後槽２２に伴って回動することを確保でき、衣類を洗濯する作用を奏する。洗濯後槽２２はベルト３を介してモータ４に連結され、且つ、洗濯後槽２２はモータ４に伴って回動し、すなわち、ベルト３はモータ４の回動に伴って回動する。それと同時に、ベルト３は洗濯後槽２２を駆動して回動させることができ、この時、洗濯前槽２１は静止する。洗濯前槽２１が静止するため、注水も排水も位置決めする必要がなく、そのため、本実施例における洗濯前槽２１に給水孔２１１および出水孔２１２が設けられ、出水孔２１２は排水連結管５を介して排水弁５１に連結される。洗濯が完了した後に、汚水は出水孔２１２、排水弁５１を介して排水管５２に入り、洗濯機外へ排出される。
【００２８】
洗濯ドラム内の水が洗濯後槽２２に伴って回動させるために、本実施例において、洗濯前槽２１長さｈは洗濯後槽２２の長さＨよりも小さい。ここで、洗濯前槽２１の長さをできるだけ小さくしてもよいが、該洗濯前槽２１の長さは出水孔２１２、給水孔２１１および窓パッキン７の設置に影響を与えないように注意する必要がある。該洗濯前槽２１は、ばねまたはダンパによって筐体１内に柔軟に固定されてもよく、筐体１内に完全に堅くて強固に固定されてもよい。
【００２９】
該ドラム式洗濯機は窓パッキン７を更に備え、窓パッキン７を設ける目的は、窓８と洗濯ドラムとの間を良好に密封し、洗濯水が流出して洗濯に影響を与えるまたは洗濯機の内部線路が漏電することを防止するためである。筐体１の一側に投入口が設けられ、投入口に窓８が設けられ、窓パッキン７は窓８と洗濯前槽２１との間に設けられる。
【００３０】
本実施例において、洗濯後槽２２および洗濯前槽２１はいずれも無孔構造槽であり、すなわち、洗濯後槽および洗濯前槽の側壁にいずれも孔が設けられず、洗濯前槽２１に１つの給水孔２１１および１つの出水孔２１２が設けられる。このような構造により、洗濯後槽２２が回転後に位置決めしなくても注水または排水することができることは確保できる。それと同時に、洗濯前槽および洗濯後槽の槽外に水が浸み込むことがなく、洗濯後槽が回転中に孔内を通過する水の抵抗を受けることがなく、回転をよりスムーズにさせる。
【００３１】
それと同時に、洗濯後槽２２および洗濯前槽２１は無孔構造槽であり、給水が完了した後、排水ポンプまたは排水弁は起動されずに密封状態にあり、洗剤および洗濯水は全て洗濯前後槽内に密封され、洗濯衣類も洗濯前後槽内に配置される。このような構造により、水槽と洗濯物槽との一体設計が実現でき、水が洗濯槽の外壁に流出することによる外壁の汚れの蓄積を防止するとともに、水を節約することもできる。
【００３２】
図２に示すように、上記窓パッキン７は、内側リップ７１と、外側リップ７２と、内側リップ７１と外側リップ７２とを連結する折り畳み部７３とを備え、ここで、内側リップ７１は第２のクリップ７５により前記洗濯前槽２１に係止され、前記外側リップ７２は第１のクリップ７４により前記筐体１の前面板１１に係止される。ここで、前面板１１には、外側リップ７２内に嵌入された係止環１１１が設けられ、洗濯前槽２１と内側リップ７１との連結箇所に位置制限リング突起２１５が設けられ、ここで、第１のクリップ７４は、良好な密封性を保持するように外側リップ７２と係止環１１１とを締め付け、第２のクリップ７５は、良好の密封性を保持するように内側リップ７１と位置制限リング突起２１５とを締め付ける。
【００３３】
上記洗濯後槽２２の内側壁に少なくとも１本のバッフル２２１が設けられる。バッフル２２１を設ける目的は、洗濯中にバッフルによって衣類を持ち上げてから急速に落とすことにより、内部の衣類はより良好に持ち上げられ、落とされ、叩かれて洗濯されることである。
【００３４】
洗濯前槽２１と洗濯後槽２２とが相対回動できることを確保するために、本実施例において、洗濯前槽２１と前記洗濯後槽２２とは回動軸受１０により連結され、ここで、前記洗濯後槽２２は前記回動軸受１０の内輪に嵌設され、前記洗濯前槽２１は前記回動軸受１０の外輪に嵌合され、前記洗濯前槽２１と前記洗濯後槽２２との間に第２のシールリング６２が設けられる。
【００３５】
洗濯前槽２１と洗濯後槽２２との間の連結箇所における水漏れの発生を防止するために、前記洗濯前槽２１と前記洗濯後槽２２との連結箇所に、断面Ｆ字状の位置制限リング２１４が設けられる。図３に示すように、ここで、前記位置制限リング２１４は、第１の縦位置制限リング本体２１４１と、前記第１の縦位置制限リング本体２１４１の頂部に設けられた第１の横位置制限リング本体２１４２と、前記第１の横位置制限リング本体２１４２と平行に設けられた第２の横位置制限リング本体２１４３とを含み、前記第２のシールリング６２は、前記第１の横位置制限リング本体２１４２と前記第２の横位置制限リング本体２１４３との間に設けられ、前記回動軸受１０は、前記第１の縦位置制限リング本体２１４１、第２の横位置制限リング本体２１４３および洗濯後槽２２外壁を組み合わせて形成された空間領域内に設けられる。前記第２のシールリング６２はリップ状のシールリングである。位置制限リング２１４と洗濯前槽２１とは一体構造であり、このような構造により、洗濯前槽２１と位置制限リング２１４との間の密封性がより良くなることは更に確保できる。
【００３６】
洗濯前槽２１と洗濯後槽２２とは回動軸受１０により連結され、洗濯後槽２２が洗濯前槽２１に対して回転することを効果的に確保できるとともに、洗濯後槽２２と洗濯前槽２１との間にシールリングが設けられ、洗濯ドラム内の水がドラム外へ流出して洗濯機の動作に影響を与えることを防止できる。
【００３７】
洗濯後槽２２が回転時に、低速洗濯にある場合、回転速度は０〜２００回転／分であり、高速脱水絞りにある場合、回転速度は６００〜１８００回転／分である。上記第２のシールリング６２はリップ状のシールリングが好ましく、このようなシールリングは自己密封作用を有し、動作圧力でリップ部に作用することにより、リップ部は密封結合面を押さえ、更に摩耗量を自動的に補償することができる。上記動作圧力は、洗濯前槽２１および洗濯後槽２２の予圧力、洗濯前槽２１自体の重力、および内部液体の動作圧力に由来する。第２のシールリング６２の種類はＹ字形、Ｖ字形、Ｕ字形、Ｊ字形またはＬ字形であってもよい。
【００３８】
洗濯前槽２１と洗濯後槽２２との回動連結（動的連結）は軸受連結であり、洗濯前槽２１および洗濯後槽２２はそれぞれ軸受の外輪と内輪に連結され、ここで、回動軸受の選択可能な種類は多様であり、上記回動軸受９は、玉軸受、ころ軸受等の軸受を含む。本実施例において、軸受の類型は、円錐ころ軸受、円筒ころ軸受または玉軸受等であってもよい。本実施例において円錐ころ軸受を使用し、ここで、該円錐ころ軸受は、軸受の内輪、軸受ホルダ、円錐ころ、および軸受の外輪を備える。
【００３９】
図１および図４に示すように、該ドラム式洗濯機は注水時に、水が筐体１に設けられた給水弁９２を介して洗濯機内に入り、ここで、給水弁９２は水道管路に連結され、前記給水弁９２は給水管９３を介して洗剤ケース９に連結され、前記洗剤ケース９は注水管９１を介して前記給水孔２１１に連結される。水道水は、給水弁９２、給水管９３および洗剤ケース９を順次経てから洗濯前槽２１内に入る。
【００４０】
該筐体１の底部にシャーシ１２が更に設けられ、シャーシ１２の底部に洗濯機全体を支持するための支持脚１３が設けられ、筐体１の頂部に上台板１４が設けられる。
【００４１】
図４に示すように、ユーザが衣類を出し入れしやすいことを実現するために、ここで、洗濯ドラムの中心軸は水平面に対して傾斜して設けられ、前記中心軸と水平面とのなす角はαであり、かつ、０≦α＜９０°である。
【００４２】
実施例２
実施例１との異なる点は、本実施例において窓パッキン７が設けられないことである。窓パッキン７が設けられないため、実施例１におけるドラム式洗濯機に対し、本実施例に係るドラム式洗濯機は、窓８箇所での設置が比較的簡単であり、ここで、洗濯前槽２１の洗濯機窓８に接触する側壁に密封溝２１３（図５および図６参照）が設けられ、前記密封溝２１３内に第１のシールリング６１が設けられる。窓８が閉じられた後、窓８は洗濯前槽に接触し、洗濯前槽２１の側壁に第１のシールリング６１が設けられるため、窓８が閉じられた後、洗濯前槽２１との間は静的な密封を実現できる。
【００４３】
他の実施例において、密封溝２１３は更に窓８の洗濯前槽２１に接触する側壁に設けられてもよく、窓８と洗濯前槽２１との密封を実現することもできる。
【００４４】
ここで、窓８の洗濯ドラムに接近する側に密封扉８１が設けられ、密封扉８１は洗濯ドラムにヒンジで連結されてもよく、回転軸により窓８に連結されてもよく、どのような連結であっても、密封扉が洗濯ドラム全体を密封し、洗濯水が洗濯前槽２１の前端から流出することを防止できることを確保する必要がある。密封扉８１が設けられた場合、密封溝２１３は密封扉８１または洗濯前槽２１の側壁に設けられるべきである。
【００４５】
本実施例において、洗濯後槽２２の外側壁にプーリが設けられ、すなわち、プーリは洗濯後槽２２に嵌設され、洗濯後槽を駆動してモータ４およびベルト３に伴って回動させる。
【００４６】
洗濯後槽２２は、回動軸（図示せず）、フランジ（図示せず）により洗濯機の背面板１５に固定設置されてもよく、この時、プーリは回動軸に設けられ、回動軸を駆動して回動させることができ、回動軸と洗濯後槽２２とは固定連結され、更に洗濯後槽２２を回動軸に伴って回動させることができる。
【産業上の利用可能性】
【００４７】
本発明のドラム式洗濯機は、洗濯槽の外壁または内壁上の汚れを定期的に洗浄する必要がなく、水を更に節約する。
【図１】
2020513197.tif 000003
【図２】
2020513197.tif 000004
【図３】
2020513197.tif 000005
【図４】
2020513197.tif 000006
【図５】
2020513197.tif 000007
【図６】
2020513197.tif 000008
【国際調査報告】
2020513197.tif 000009
2020513197.tif 000010
2020513197.tif 000011
2020513197.tif 000012